(57)【特許請求の範囲】
【請求項１】
個別に発光可能な複数の灯色ユニットを備える信号灯器において、
前記各灯色ユニットは、それぞれの灯色に発光する光源を収納するケース状に構成され、ステーを介して該ステーに沿って並ぶ状態に連結されており、
前記ステーは、所定幅で長さ方向へ延びる形状であり、
前記灯色ユニットの背面部には、その一端から他端へ向かって延び、かつ内側へ所定深さで凹み、該凹みの両端の少なくとも何れか一方が背面部の一端および／または他端より開口した凹溝が設けられ、
前記各灯色ユニットの背面部にある前記凹溝に、前記ステーの途中または先端が嵌め合わされた状態で固定されたことを特徴とする信号灯器。
【請求項２】
前記ステーは、全長に亘り同一幅で直線状に延びる薄板形状であり、
前記各灯色ユニットは、全て同一の底浅な円筒形状であり、
前記凹溝は、前記灯色ユニットの背面部にて、前記ステーが合致する幅で直径方向へ直線状に延びており、前記ステーの板厚分の深さで凹んでいることを特徴とする請求項１に記載の信号灯器。
【請求項３】
前記凹溝は、互いに交差する状態で複数設けられていることを特徴とする請求項１または２に記載の信号灯器。
【請求項４】
前記各灯色ユニットのうち少なくとも何れか１つは、前記各凹溝ごとに対応した別々のステーを介して別方向で隣り合う他の灯色ユニットに連結されたことを特徴とする請求項３に記載の信号灯器。
【請求項５】
前記各凹溝は、それぞれ前記灯色ユニットの背面部の基準面に対して、前記ステーの厚さ分だけ異なる深さの段差で設けられていることを特徴とする請求項３または４に記載の信号灯器。
【請求項６】
請求項１，２，３，４または５に記載の灯色ユニット。
【発明の詳細な説明】
【技術分野】
【０００１】
本発明は、個別に発光可能な複数の灯色ユニットを備える信号灯器と、その灯色ユニットに関する。
【背景技術】
【０００２】
従来より、この種の信号灯器の代表例である交通信号灯器には、３位式横型、矢印用横型、矢印用縦型等の様々な種類があり、それぞれのハウジング用の灯体は、種類毎に仕様の異なる専用品であった。具体的な灯体としては、例えば、本件出願人が既に提案している特許文献１に記載された信号灯器のフレーム構造が知られている。
【０００３】
前記フレーム構造は、薄型のケース状に構成されており、前面側のパネル材には複数の灯体に対応した数の開口部が設けられている。例えば、３位式の場合、３色分の灯体を包含する大きさに設計され３つの開口部が設けられ、２位式の場合、２色分の灯体だけ包含する大きさに設計され２つの開口部が設けられていた。
【先行技術文献】
【特許文献】
【０００４】
【特許文献１】特開２０１４−１２７１３７号公報
【発明の概要】
【発明が解決しようとする課題】
【０００５】
しかしながら、前述した特許文献１に記載のフレーム構造を含め、従来のハウジング用の灯体は、何れも信号灯器の種類毎に異なる仕様で製造された専用品であり、異なる種類間では灯体部品を共用することができないという問題があった。例えば、３位式用の灯体を、２位式用の灯体に流用することはできなかった。
【０００６】
特に、２色ないし３色の通常の灯体に加えて、車両の進行方向を矢印で表示する矢印灯も備えた矢印用横型や矢印用縦型の信号灯器では、矢印灯の取り付け位置の違いにより、いっそう灯体の種類が多くなる。かかる灯体同士は全体的な構造は類似しているにも関わらず、矢印灯の配置の違いだけで、互いに共用することもできず、製造コストが嵩む要因となっていた。
【０００７】
本発明は、以上のような従来技術の有する問題点に着目してなされたものであり、複数の灯色毎に独立したユニットがステーを介して組み合わされることで、様々な形態の信号灯器を構成することが可能であり、部品を共用化することで製造コストを低減することができる信号灯器およびその灯色ユニットを提供することを目的としている。
【課題を解決するための手段】
【０００９】
前述した目的を達成するための本発明の要旨とするところは、以下の各項の発明に存する。  
［１］個別に発光可能な複数の灯色ユニット（１１）を備える信号灯器（１０）において、
前記各灯色ユニット（１１）は、それぞれの灯色に発光する光源（２０）を収納するケース状に構成され、ステー（３０）を介して該ステー（３０）に沿って並ぶ状態に連結されており、
前記ステー（３０）は、所定幅で長さ方向へ延びる形状であり、
前記灯色ユニット（１１）の背面部（１３）には、その一端から他端へ向かって延び、かつ内側へ所定深さで凹み、該凹みの両端の少なくとも何れか一方が背面部（１３）の一端および／または他端より開口した凹溝（１４）が設けられ、
前記各灯色ユニット（１１）の背面部（１３）にある前記凹溝（１４）に、前記ステー（３０）の途中または先端が嵌め合わされた状態で固定されたことを特徴とする信号灯器（１０）。
【００１０】
［２］前記ステー（３０）は、全長に亘り同一幅で直線状に延びる薄板形状であり、
前記各灯色ユニット（１１）は、全て同一の底浅な円筒形状であり、
前記凹溝（１４）は、前記灯色ユニット（１１）の背面部（１３）にて、前記ステー（３０）が合致する幅で直径方向へ直線状に延びており、前記ステー（３０）の板厚分の深さで凹んでいることを特徴とする前記［１］に記載の信号灯器（１０）。
【００１１】
［３］前記凹溝（１４）は、互いに交差する状態で複数設けられていることを特徴とする前記［１］または［２］に記載の信号灯器（１０）。
【００１２】
［４］前記各灯色ユニット（１１）のうち少なくとも何れか１つは、前記各凹溝（１４）ごとに対応した別々のステー（３０）を介して別方向で隣り合う他の灯色ユニット（１１）に連結されたことを特徴とする前記［３］に記載の信号灯器（１０）。
【００１３】
［５］前記各凹溝（１４）は、それぞれ前記灯色ユニット（１１）の背面部（１３）の基準面に対して、前記ステー（３０）の厚さ分だけ異なる深さの段差で設けられていることを特徴とする前記［３］または［４］に記載の信号灯器（１０）。
【００１４】
［６］前記［１］，［２］，［３］，［４］または［５］に記載の灯色ユニット（１１）。
【００１５】
次に、前述した解決手段に基づく作用を説明する。  
前記［１］に記載の信号灯器（１０）によれば、複数の灯色ユニット（１１）は、それぞれの独立したケース状に一体化されたユニットになっており、各灯色ユニット（１１）は、ステー（３０）を介して該ステー（３０）に沿って並ぶ状態に連結される。
【００１６】
すなわち、各灯色ユニット（１１）の背面部（１３）にある凹溝（１４）に、ステー（３０）の途中または先端をそれぞれ嵌め合わせた状態で固定することで、各灯色ユニット（１１）を一体に組み合わせることができる。各灯色ユニット（１１）は、ステー（３０）に沿わせて並ぶ状態であれば、代表的なタイプである３つの灯色が横方向に連なる形態に限られることなく、様々な種類の信号灯器（１０）の形態に合わせて組み合わせることができる。
【００１７】
凹溝（１４）は、その一端から他端へ長さ方向へ延び、かつ内側へ所定深さで凹み、該凹みの両端の少なくとも何れか一方が背面部（１３）の一端および／または他端より開口して設けられている。この凹溝（１４）に対して、ステー（３０）の途中または先端を嵌め合わせた状態で固定する。
【００１８】
前記ステー（３０）の具体的な形状は、特に限定されるものではないが、前記［２］に記載したように、全長に亘り同一幅で直線状に延びる薄板形状とすれば、構成が極めて簡易な部品となる。また、各灯色ユニット（１１）の具体的な形状も、特に限定されるものではないが、前記［２］に記載したように、全て同一の底浅な円筒形状が適している。
【００１９】
このような円筒形状の場合、灯色ユニット（１１）の背面部（１３）における凹溝（１４）は、前記ステー（３０）が合致する幅で直径方向へ直線状に延びて、前記ステー（３０）の板厚分の深さで凹んだものとする。このように凹溝（１４）が直径方向へ延びることで、ステー（３０）は灯色ユニット（１１）の重心と重なることになり、取り付け強度や安定性を高めることができる。
【００２０】
各灯色ユニット（１１）を、全体的な円筒形状や凹溝（１４）も含め全て同一の形状に統一とすることで、部品の共通化も図ることができる。なお、灯色の違いについては、単に光源（２０）の発光色のみ異ならせれば良く、矢印灯に関しても、光源（２０）の個々の配置や点灯制御によって容易に構成することができる。
【００２１】
また、灯色ユニット（１１）の背面部（１３）における凹溝（１４）の数は、１つとは限らず複数であっても良い。前記［３］に記載したように、複数の凹溝（１４）を設ける場合、互いに交差する状態とすれば、灯色ユニット（１１）を異なる向きに並べることができる。例えば、灯色ユニット（１１）に上下の方向性がある場合には、この上下の方向性を維持した状態で、各凹溝（１４）ごとに別々に延びる角度に沿って並べることができる。なお、灯色ユニット（１１）に特に方向性がなければ、ステー（３０）ごと所定の角度に傾けるように設置しても良い。
【００２２】
さらに、ステー（３０）の数も１つだけとは限らず、前記［４］に記載したように、複数のステー（３０）を使用して各灯色ユニット（１１）を連結することもできる。すなわち、各灯色ユニット（１１）のうち少なくとも何れか１つは、複数ある凹溝（１４）ごとに対応した別々のステー（３０）を介して、別方向で隣り合う他の灯色ユニット（１１）に連結される。これにより、１つのステー（３０）に沿って並ぶ何れかの灯色ユニット（１１）から、別のステー（３０）を介して別方向へも灯色ユニット（１１）が並ぶように付加ないし分岐させることもできる。
【００２３】
複数ある凹溝（１４）ごとに嵌め合わせたステー（３０）が交差する場合、ステー（３０）同士の干渉を避ける必要がある。そこで、前記［５］に記載したように、各凹溝（１４）をそれぞれ灯色ユニット（１１）の背面部（１３）の基準面に対して、ステー（３０）の厚さ分だけ異なる深さの段差で設けると良い。かかる段差により、ステー（３０）同士が同一面上でぶつかり合うことを避けることができる。
【発明の効果】
【００２４】
本発明に係る信号灯器およびその灯色ユニットによれば、複数の灯色ユニットをステーを介して組み合わせることで、様々な種類の信号灯器を構成することが可能であり、部品を共用化することで製造コストを低減することができる。
【図面の簡単な説明】
【００２５】
【図１】本発明の第１実施の形態に係る信号灯器を背面側から見た斜視図である。
【図２】本発明の第１実施の形態に係る信号灯器を正面側から見た斜視図である。
【図３】本発明の第１実施の形態に係る信号灯器を示す背面図である。
【図４】本発明の第１実施の形態に係る信号灯器を示す正面図である。
【図５】本発明の第１実施の形態に係る信号灯器を示す平面図である。
【図６】本発明の第１実施の形態に係る信号灯器を示す右側面図である。
【図７】図４のＡ−Ａ’線の拡大断面図である。
【図８】本発明の第１実施の形態に係る灯色ユニットを背面側から見た斜視図である。
【図９】本発明の第１実施の形態に係る灯色ユニットを示す背面図である。
【図１０】本発明の第１実施の形態に係る灯色ユニットを示す正面図である。
【図１１】本発明の第１実施の形態に係る灯色ユニットを示す平面図である。
【図１２】本発明の第１実施の形態に係る灯色ユニットを示す右側面図である。
【図１３】図１０のＢ−Ｂ’線の断面図である。
【図１４】本発明の第１実施の形態に係る信号灯器の変形例を示す正面図である。
【図１５】本発明の第１実施の形態に係る信号灯器の変形例を示す背面図である。
【図１６】本発明の第１実施の形態に係る信号灯器のまた別の変形例を示す正面図である。
【図１７】本発明の第１実施の形態に係る信号灯器のまた別の変形例を示す背面図である。
【図１８】本発明の第２実施の形態に係る信号灯器を背面側から見た斜視図である。
【図１９】本発明の第２実施の形態に係る信号灯器を正面側から見た斜視図である。
【図２０】本発明の第２実施の形態に係る信号灯器を示す右側面図である。
【図２１】本発明の第２実施の形態に係る信号灯器を拡大して示す縦断面図である。
【図２２】本発明の第２実施の形態に係る信号灯器の変形例を正面側から見た斜視図である。
【図２３】本発明の第２実施の形態に係る信号灯器の変形例を示す背面図である。
【発明を実施するための形態】
【００２６】
以下、図面に基づき本発明を代表する各種実施の形態を説明する。  
図１〜図１３は、本発明の第１実施の形態を示している。  
図１〜図７は、第１実施の形態に係る信号灯器の全体を示し、図８〜図１３は、第１実施の形態に係る灯色ユニットを示している。
【００２７】
第１実施の形態に係る信号灯器１０は、個別に発光可能な３つの灯色ユニット１１を備えている。各灯色ユニット１１は、それぞれの灯色に発光する光源２０を収納するケース状に構成され、ステー３０を介して該ステー３０に沿って並ぶ状態に連結されている。以下に、信号灯器１０を、一般道路の交差点に設置される交通信号灯器に適用した場合を例に説明する。
【００２８】
図１，図２に示すように、各灯色ユニット１１は、全て同一の底浅な円筒形状であり、前面側が開口したケース１２と、該ケース１２の開口を覆う前面カバー１５とからなる。ケース１２は、底浅な円筒形状で前面側が開口し、その内部は光源２０を含む関連部品を内蔵し得るスペース（灯室）となり、例えば、合成樹脂やアルミダイカスト等の金属により形成されている。ケース１２の底の外壁側である背面部１３には、ステー３０を固定するための２つの横凹溝１４Ａと縦凹溝１４Ｂとが十字状に交差するように設けられている。以下、横凹溝１４Ａと縦凹溝１４Ｂを総称する際には、凹溝１４と表記する。
【００２９】
前面カバー１５は、光源２０からの光を前方へ透過させるものであり、例えば、透明な合成樹脂等からケース１２の開口に合致する円板状に形成されている。なお、詳しくは図７に示すように、ケース１２の前面開口より光源２０のＬＥＤ２２が前方へ迫り出すため、このＬＥＤ２２を前後方向にも囲む程度のフランジが円板の外周に沿って設けられ、前面カバー１５も底浅なケース状となっている。前面カバー１５は無色透明が適するが、ＬＥＤ２２の発光色に合わせて着色しても良い。なお、前面カバー１５は、単に光を透過させるだけの透光性だけでなく、レンズ的な機能や光を拡散させる機能を備えるように構成しても良い。
【００３０】
光源２０は、３位式の交通信号灯器の場合、青、黄、赤のそれぞれの灯色に発光するものであり、例えば、円形の基板２１に複数のＬＥＤ２２を所定配置に実装したものである。基板２１は、一般的なプリント配線基板であり、その実装面にはＬＥＤ２２が電気的に接続される配線回路が形成されている。ＬＥＤ２２は、発光素子を略砲弾型のモールドに埋め込んだＬＥＤランプに限らず、リード線上に実装された発光素子からなるＬＥＤチップでも良い。３位式の場合は各灯色ユニット１１ごとに、図２に示す左から順に青色、黄色、赤色灯色に発光するＬＥＤ２２が用いられている。
【００３１】
図７に示すように、光源２０の基板２１は、ケース１２の開口面に沿って配置されており、基板２１の実装面上のＬＥＤ２２は、前面カバー１５によって覆われている。なお、基板２１の裏面側の適所には、図示省略したが電線や信号線等を接続するコネクタが設けられており、電源ユニットや点灯制御を行う制御装置等に接続されている。さらに、ＬＥＤ２２の光量は専用のスイッチによって任意に調整できるように設定しても良い。
【００３２】
ステー３０は、前記凹溝１４に嵌る所定幅で長さ方向へ延び、各灯色ユニット１１を連結するものであり、例えば、全長に亘り同一幅で直線状に延びる薄板形状に加工したものである。ステー３０の長さ（全長）は、組み合わせる灯色ユニット１１の数に応じて適当な寸法に設定される。このようなステー３０は、具体的には、金属板をそのまま所定幅に裁断したり、あるいは内部に空隙を備える細幅の薄板形状の押し出し成形品でも良い。
【００３３】
ステー３０は、各灯色ユニット１１の背面部１３にある凹溝１４にそれぞれ嵌め合わせた状態で固定される。ここで固定方法は、凹溝１４の適所に設けられたネジ孔と、ステー３０の適所に設けられたネジ孔とを介して、ネジやボルト等で固着すれば良い。なお、ステー３０の両端は、直角に折り曲げられて、設置箇所に固定するための取付部３１となっている。取付部３１の折り曲げ等の具体的な形態は、特に限定されるものではない。
【００３４】
前記凹溝１４は、ケース１２（灯色ユニット１１）の背面部１３にて、その基準面を一端から他端へ渡る長さ方向へ延び、かつ基準面より内側へ所定深さで凹み、該凹みの両端が背面部１３の一端と他端より開口するように設けられている。ここで基準面とは、背面部１３における最も外側となる広い面であるが、あるいは、一つの凹溝１４の底面としてもよい。
【００３５】
凹溝１４の両端は、言い換えれば、ケース１２の背面部１３に連なる側面部の両端に連通しており、凹溝１４に嵌め合わせたステー３０は、凹溝１４に沿って自在に摺動させることができる。ただし、凹溝１４の両端は、必ずしも両方とも開口している必要はなく、少なくとも何れか一方が背面部１３の一端および／または他端より開口していれば良い。両端が開口した凹溝１４には、ステー３０の途中が嵌め合わされた状態となり、一方のみ開口して他方が閉じた凹溝の場合は、ステー３０の先端が嵌め合わされた状態となって固定される。
【００３６】
図８，図９に示すように、凹溝１４は、背面部１３にて、ステー３０が合致する幅で直径方向へ直線状に延び、ステー３０の板厚分の深さで凹んでいる。本実施の形態では、前述したように、２つの横凹溝１４Ａと縦凹溝１４Ｂとが十字状に交差するように設けられている。ここで各凹溝１４Ａ，１４Ｂは、それぞれ背面部１３の基準面に対して、ステー３０の厚さ分だけ異なる深さの段差で設けられている。
【００３７】
このように、各凹溝１４Ａ，１４Ｂの凹みの深さに段差があることで、仮に両方の凹溝１４Ａ，１４Ｂにそれぞれステー３０を固定したとしても、ステー３０同士が互いに干渉することはない。本実施の形態では、横凹溝１４Ａの方が縦凹溝１４Ｂよりも深く凹んでいるが、どちらの凹みを深くするかは設計事項である。その他、背面部１３には、図示省略したが、凹溝１４と干渉しない位置に配線の挿通口等を設けると良い。
【００３８】
次に、第１実施の形態に係る信号灯器１０の作用について説明する。  
図８〜図１３に示したように、灯色ユニット１１は、単体で生産される一体化されたケース状のユニットとなっており、複数の灯色ユニット１１は、ステー３０を介して該ステー３０に沿って並ぶ状態に連結される。各灯色ユニット１１の背面部１３にある凹溝１４に、ステー３０の途中をそれぞれ嵌め合わせた状態で固定することで、各灯色ユニット１１を一体に組み合わせることができる。
【００３９】
図１〜図７に示したように、第１実施の形態に係る信号灯器１０は、３つの灯色ユニット１１を横一列に並ぶ状態に組み合わせており、各灯色ユニット１１における光源２０の灯色は、正面視で左から順に青、黄、赤となっている。ここで灯色ユニット１１に、上下、左右の方向性が特になければ、信号灯器１０を横一列から９０度向きを変えるだけで、縦一列の信号灯器１０として設置することもできる。
【００４０】
各灯色ユニット１１自体の具体的な形状は、特に限定されることはないが、図示したような底浅な円筒形状であれば、扱いやすく汎用性もあり適している。また、各灯色ユニット１１を全て同一の形状に統一とすることで、部品の共通化を図ることができる。なお、灯色の違いについては、単に光源２０のＬＥＤ２２の発光色のみ異ならせれば足り、後述する矢印灯に関しても、ＬＥＤ２２の個々の配置や点灯制御によって容易に構成することができる。
【００４１】
ステー３０の具体的な形状も、特に限定されることはないが、図示したように全長に亘り同一幅で直線状に延びる薄板形状とすれば、構成が極めて簡易な部品となり、灯色ユニット１１の組み合わせ数に応じて、所望の長さに容易に切断加工することができる。また、ステー３０を取り付ける灯色ユニット１１の凹溝１４は、ステー３０が合致する幅で直径方向へ直線状に延びて、前記ステー３０の板厚分の深さで凹んでいる。このように凹溝１４が直径方向へ延びることで、ステー３０は灯色ユニット１１の重心と重なることになり、取り付け強度や安定性を高めることができる。
【００４２】
図１、図７に示すように、ステー３０は、各灯色ユニット１１の背面部１３にある凹溝１４にそれぞれ嵌め合わせた状態で固定する。ここで固定方法は、凹溝１４にあるネジ孔と、ステー３０にあるネジ孔とを介して、ネジやボルト等で固着するが、ネジ孔は後から固定時に加工しても良い。それにより、ネジ孔の位置を固定時に適宜変更することが容易となり、また、ケース１２側で余ったネジ孔を塞ぐ必要もない。また、凹溝１４におけるネジ孔の位置を、必ずステー３０が被さる位置とすれば、ネジ孔を別途塞ぐ必要もない。
【００４３】
第１実施の形態では、凹溝１４は、横凹溝１４Ａと縦凹溝１４Ｂとが十字状に交差するように設けられており、各灯色ユニット１１を横方向に並べる場合は、横凹溝１４Ａにステー３０を固定し、縦方向に並べる場合は、縦凹溝１４Ｂにステー３０を固定する。このように複数の凹溝１４があれば、灯色ユニット１１を異なる向きに並べることができる。なお、前述したように灯色ユニット１１に特に方向性がなければ、信号灯器１０を横一列から９０度向きを変えるだけで縦一列としてもかまわない。
【００４４】
さらに、ステー３０の数も１つだけとは限らず、複数のステー３０を使用して各灯色ユニット１１を連結することもできる。すなわち、各灯色ユニット１１のうち少なくとも何れか１つは、複数ある凹溝１４ごとに対応した別々のステー３０を介して、別方向で隣り合う他の灯色ユニット１１に連結される。これにより、１つのステー３０に沿って並ぶ何れかの灯色ユニット１１から、別のステー３０を介して別方向へも灯色ユニット１１が並ぶように付加ないし分岐させることができる。
【００４５】
図１４、図１５は、本発明の第１実施の形態に係る信号灯器１０の変形例を示している。
本変形例に係る信号灯器１０Ａは、前記信号灯器１０の各灯色ユニット１１のうち、正面視で左端の青色灯の上方に、矢印灯である灯色ユニット１１Ａを組み合わせた矢印用横型の交通信号灯器である。ここで矢印灯とは、光源２０で矢印を点灯させて該矢印の方向のみ進行できることを表示するものであり、前述したように、ＬＥＤ２２の個々の配置や点灯制御によって容易に構成することができる。
【００４６】
灯色ユニット１１Ａは、２つ分の灯色ユニット１１に対応した長さで前記ステー３０よりも短いステー３０Ａを介して、左端の灯色ユニット１１の上方に連結されている。左端の灯色ユニット１１では、横凹溝１４Ａに嵌るステー３０と、縦凹溝１４Ｂに嵌るステー３０Ａとが交差することになるが、横凹溝１４Ａは縦凹溝１４Ｂよりもステー３０の厚さ分だけ一段低いため、各ステー３０，３０Ａが干渉することはない。
【００４７】
図１６、図１７は、さらに別の変形例を示している。
本変形例に係る信号灯器１０Ｂは、前記信号灯器１０を９０度回転させて縦型にした上で、上端の青色灯の右側に、矢印灯である灯色ユニット１１Ａを組み合わせた矢印用縦型の交通信号灯器である。ここで各灯色ユニット１１，１１Ａの横凹溝１４Ａが縦に並ぶことになる。
【００４８】
このように、複数の灯色ユニット１１を所定の配置に並べて組み合わせることで、３位式横型、３位式縦型、矢印用横型、矢印用縦型等の様々な種類の信号灯器１０を構成することが可能となる。なお、前記信号灯器１０Ａ，１０Ｂにおいて前記信号灯器１０と同種の部位には同一符号を付して重複した説明は省略する。
【００４９】
図１８〜図２１は、本発明の第２実施の形態を示している。  
本実施の形態に係る信号灯器１０Ｃは、前述した第１実施の形態に係る信号灯器１０と基本的な構造は共通するが、各灯色ユニット１１Ｂの具体的な構成が前記灯色ユニット１１とは異なっている。
【００５０】
灯色ユニット１１Ｂは、底浅な円筒形状であり前面側が開口したケース１２と、該ケース１２の開口を覆う前面カバー１６とからなるが、ケース１２の前面側開口の上半側に、前方に突出した半円弧状の庇１７が一体に取り付けられている。この庇１７の具体的な形状は適宜定め得る設計事項であるが、灯色ユニット１１Ｂは、庇１７が必ず上側となるように配置される。
【００５１】
また、前面カバー１６の具体的な形状も適宜定め得る設計事項であるが、前記前面カバー１５とは異なり、中心が前方へ緩やかに膨らむドーム状に形成されている。前面カバー１６は、ケース１２に対して開閉可能に取り付けるようにしても良い。なお、第１実施の形態と同種の部位には同一符号を付して重複した説明を省略する。
【００５２】
本実施の形態のように、灯色ユニット１１Ｂに上下の方向性がある場合には、庇１７が上側となる状態で、ステー３０を介して各灯色ユニット１１Ｂを連結する。図１８、図１９に示すように、各灯色ユニット１１Ｂを横方向に並べる場合には、横凹溝１４Ａにステー３０を嵌め合わせた状態で固定する。一方、図２２、図２３に示すように、各灯色ユニット１１Ｂを縦方向に並べた変形例では、縦凹溝１４Ｂにステー３０を嵌め合わせた状態で固定する。
【００５３】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、灯色ユニット１１，１１Ａ，１１Ｂの形状や数は特に限定されることはなく、２つ、あるいは４つ以上と自在に組み合わせることができる。
【００５４】
また、ステー３０も細幅な薄板形状に限られることなく、例えば、円柱や角柱等の棒状の部材やパイプ材、アンクル材等を採用しても良く、さらに直線状とも限らず湾曲しても良い。また、凹溝１４も図示した形状に限られることなく、背面部１３にて、一端から他端へ開口したものでなくても良く、所定深さもステー３０の板厚分に限定されることはない。
【産業上の利用可能性】
【００５５】
本発明は、一般道路の交差点に設置される車両や通行人のための交通信号灯器に限らず、鉄道車両や船舶等、あらゆる交通信号を対象とする様々な信号灯器に広く利用することができる。
【符号の説明】
【００５６】
１０…信号灯器
１０Ａ…信号灯器
１０Ｂ…信号灯器
１１…灯色ユニット
１１Ａ…灯色ユニット
１１Ｂ…灯色ユニット
１２…ケース
１３…背面部
１４…凹溝
１４Ａ…横凹溝
１４Ｂ…縦凹溝
１５…前面カバー
１６…前面カバー
２０…光源
２１…基板
２２…ＬＥＤ
３０…ステー
３０Ａ…ステー
３１…取付部
【図１】
0006734084.tif 000002
【図２】
0006734084.tif 000003
【図３】
0006734084.tif 000004
【図４】
0006734084.tif 000005
【図５】
0006734084.tif 000006
【図６】
0006734084.tif 000007
【図７】
0006734084.tif 000008
【図８】
0006734084.tif 000009
【図９】
0006734084.tif 000010
【図１０】
0006734084.tif 000011
【図１１】
0006734084.tif 000012
【図１２】
0006734084.tif 000013
【図１３】
0006734084.tif 000014
【図１４】
0006734084.tif 000015
【図１５】
0006734084.tif 000016
【図１６】
0006734084.tif 000017
【図１７】
0006734084.tif 000018
【図１８】
0006734084.tif 000019
【図１９】
0006734084.tif 000020
【図２０】
0006734084.tif 000021
【図２１】
0006734084.tif 000022
【図２２】
0006734084.tif 000023
【図２３】
0006734084.tif 000024